(57)【要約】  ヘッドアップディスプレイは、虚像を形成させるために光を照射する光源が搭載された光源部と、前記光源からの光が照射される光学素子を有する表示部と、前記光源部と前記表示部とを繋ぐ接続部材と、を備える。光源部と表示部とが接続部材により接続され、光源から出射された光が表示部の光学素子へ照射される。ここで、接続部材の少なくとも一部に形成された抑制部は、光源からの光によって光源部と表示部との間に形成される光路領域が、移動体の取付対象部位によって遮られることを抑制する。よって、ヘッドアップディスプレイを移動体に取り付けたときに、光源からの光が移動体の取付対象部位により遮られることが防止され、表示画像の一部が欠けたりすることがなくなる。
2012131908.tif 000002
【特許請求の範囲】
【請求項１】
移動体に搭載されるヘッドアップディスプレイであって、
虚像を形成させるために光を照射する光源が搭載された光源部と、
前記光源からの光が照射される光学素子を有する表示部と、
前記光源部と前記表示部とを繋ぐ接続部材と、を備え、
前記接続部材の少なくとも一部には、前記光源部と前記表示部とが前記移動体の取付対象部位に取り付けられる際に、当該光源部と当該表示部との間に形成される光路領域が前記取付対象部位によって遮られることを抑制する抑制部が形成されていることを特徴とするヘッドアップディスプレイ。
【請求項２】
前記抑制部は、前記接続部材の一部を、前記光路領域よりも前記取付面側へ突出させて形成されていることを特徴とする請求項１に記載のヘッドアップディスプレイ。
【請求項３】
前記虚像は上下方向を有し、
前記抑制部として、前記接続部材の少なくとも一部が、前記光路領域の最上端よりも上方向に存在するように形成されていることを特徴とする請求項２に記載のヘッドアップディスプレイ。
【請求項４】
前記ヘッドアップディスプレイを、前記取付対象部位としての前記移動体の一部の取付面に近接させて取り付けるための取付部材を更に有し、
前記抑制部は、前記ヘッドアップディスプレイが前記取付部材によって前記移動体に対して取り付けられる際に、前記光路領域が前記取付面に対して近接するのを規制することを特徴とする請求項１に記載のヘッドアップディスプレイ。
【請求項５】
前記接続部材は、前記虚像の左右方向の少なくとも一方において前記光源部と前記表示部とを繋ぎ、
前記抑制部として、前記虚像の上方向における前記接続部材の端部が、前記光路領域の最上端よりも上方向に存在するように形成されていることを特徴とする請求項３に記載のヘッドアップディスプレイ。
【請求項６】
前記光路領域の最上端よりも上方向に位置し、前記虚像の左右方向に延在するブリッジ部を有することを特徴とする請求項５に記載のヘッドアップディスプレイ。
【請求項７】
前記ブリッジ部は、着脱可能に構成されていることを特徴とする請求項６に記載のヘッドアップディスプレイ。
【請求項８】
前記ヘッドアップディスプレイを前記移動体に対して取り付けるための取付部材を有し、
前記表示部を基準として前記取付部材が形成されている側が前記虚像における上方向と規定されることを特徴とする請求項７に記載のヘッドアップディスプレイ。
【請求項９】
ヘッドアップディスプレイを移動体の取付対象部位に取り付ける取付方法であって、
虚像を形成させるために光を照射する光源が搭載された光源部と、前記光源からの光が照射される光学素子を有する表示部とを、接続部材によって繋ぐ接続工程と、
前記光源部と前記表示部との間に形成される光路領域が前記取付対象部位によって遮られないように前記接続部材の少なくとも一部に設けられた抑制部を前記取付対象部位に対して配置し、前記接続部材により繋がれた前記光源部及び前記表示部を前記取付対象部位に対して取り付ける取付工程と、を有することを特徴とするヘッドアップディスプレイの取付方法。
【請求項１０】
上下方向を有する虚像を形成させるために光を照射する光源が搭載された光源部と、
前記光源からの光が照射される光学素子を有する表示部と、
前記光源部と前記表示部とを繋ぐ接続部材と、を有し、
前記接続部材の少なくとも一部は、前記虚像を形成するための前記光が前記光源部と前記表示部との間で形成する光路領域の最上端よりも上方向に存在するように形成されていることを特徴とするヘッドアップディスプレイ。
【発明の詳細な説明】
【技術分野】
【０００１】
本発明は、移動体に設置されるヘッドアップディスプレイに関する。
【背景技術】
【０００２】
車両の運転席近傍に取り付けられるヘッドアップディスプレイが知られている。例えば、特許文献１は、表示装置とコンバイナとを備え、車両の室内天井部に設置されるヘッドアップディスプレイを開示している。【０００３】
一般的に、光源を備える光源ユニット及びコンバイナなどの光学素子は、車室の天井部において車体側にネジなどを用いて固定される。【０００４】
しかし、車室の天井部は平坦であるとは限らず、内張りなどの突起物が設けられている場合がある。この場合、光源ユニットから光学素子へと出射された光線が、天井から張り出した突起物により遮られてしまい、光学素子に光線を正しく照射できないという不具合が起こりうる。
【先行技術文献】
【特許文献】
【０００５】
【特許文献１】特開平５−７７６５７号公報
【発明の概要】
【発明が解決しようとする課題】
【０００６】
本発明が解決しようとする課題としては、上記のものが例として挙げられる。本発明は、光源部から出射した光線が車室天井部の突起物などにより遮られない状態で容易に設置可能なヘッドアップディスプレイを提供することを目的とする。
【課題を解決するための手段】
【０００７】
請求項１に記載の発明は、移動体に搭載されるヘッドアップディスプレイであって、虚像を形成させるために光を照射する光源が搭載された光源部と、前記光源からの光が照射される光学素子を有する表示部と、前記光源部と前記表示部とを繋ぐ接続部材と、を備え、前記接続部材の少なくとも一部には、前記光源部と前記表示部とが前記移動体の取付対象部位に取り付けられる際に、当該光源部と当該表示部との間に形成される光路領域が前記取付対象部位によって遮られることを抑制する抑制部が形成されていることを特徴とする。【０００８】
請求項９に記載の発明は、ヘッドアップディスプレイを移動体の取付対象部位に取り付ける取付方法であって、虚像を形成させるために光を照射する光源が搭載された光源部と、前記光源からの光が照射される光学素子を有する表示部とを、接続部材によって繋ぐ接続工程と、前記光源部と前記表示部との間に形成される光路領域が前記取付対象部位によって遮られないように前記接続部材の少なくとも一部に設けられた抑制部を前記取付対象部位に対して配置し、前記接続部材により繋がれた前記光源部及び前記表示部を前記取付対象部位に対して取り付ける取付工程と、を有することを特徴とする。【０００９】
請求項１０に記載の発明は、ヘッドアップディスプレイであって、上下方向を有する虚像を形成させるために光を照射する光源が搭載された光源部と、前記光源からの光が照射される光学素子を有する表示部と、前記光源部と前記表示部とを繋ぐ接続部材と、を有し、前記接続部材の少なくとも一部は、前記虚像を形成するための前記光が前記光源部と前記表示部との間で形成する光路領域の最上端よりも上方向に存在するように形成されていることを特徴とする。
【図面の簡単な説明】
【００１０】
【図１】実施例に係るヘッドアップディスプレイを車室に設置した状態を模式的に示す図である。
【図２】ヘッドアップディスプレイを斜め下方から見た斜視図である。
【図３】ヘッドアップディスプレイの光路領域を模式的に示す図である。
【図４】アームを有しないヘッドアップディスプレイと車室内の突出部分との位置関係を示す図である。
【図５】実施例のヘッドアップディスプレイと車室内の突出部分との位置関係を示す図である。
【図６】ヘッドアップディスプレイの正面図である。
【図７】変形例に係るヘッドアップディスプレイの斜視図である。
【図８】変形例に係るヘッドアップディスプレイの正面図である。
【発明を実施するための形態】
【００１１】
本発明の１つの好適な実施形態では、移動体に搭載されるヘッドアップディスプレイは、虚像を形成させるために光を照射する光源が搭載された光源部と、前記光源からの光が照射される光学素子を有する表示部と、前記光源部と前記表示部とを繋ぐ接続部材と、を備え、前記接続部材の少なくとも一部には、前記光源部と前記表示部とが前記移動体の取付対象部位に取り付けられる際に、当該光源部と当該表示部との間に形成される光路領域が前記取付対象部位によって遮られることを抑制する抑制部が形成されている。
【００１２】
上記のヘッドアップディスプレイによれば、光源部と表示部とが接続部材により接続され、光源から出射された光が表示部の光学素子へ照射される。ここで、接続部材の少なくとも一部に形成された抑制部は、光源からの光によって光源部と表示部との間に形成される光路領域が、移動体の取付対象部位によって遮られることを抑制する。よって、ヘッドアップディスプレイを移動体に取り付けたときに、光源からの光が移動体の取付対象部位により遮られることが防止され、表示画像の一部が欠けたりすることがなくなる。
【００１３】
上記のヘッドアップディスプレイの一態様では、前記抑制部は、前記接続部材の一部を、前記光路領域よりも前記取付面側へ突出させて形成されている。
【００１４】
上記のヘッドアップディスプレイの他の一態様では、前記虚像は上下方向を有し、前記抑制部として、前記接続部材の少なくとも一部が、前記光路領域の最上端よりも上方向に存在するように形成されている。これにより、接続部材の少なくとも一部が取付対象部位に当たっている状態で、取付対象部位は光路領域の最上端より上方向にあり、光路領域が遮られることがない。
【００１５】
上記のヘッドアップディスプレイの他の一態様は、前記ヘッドアップディスプレイを、前記取付対象部位としての前記移動体の一部の取付面に近接させて取り付けるための取付部材を更に有し、前記抑制部は、前記ヘッドアップディスプレイが前記取付部材によって前記移動体に対して取り付けられる際に、前記光路領域が前記取付面に対して近接するのを規制する。これにより、光路領域が取付対象部位により遮られることが防止される。
【００１６】
上記のヘッドアップディスプレイの他の一態様では、前記接続部材は、前記虚像の左右方向の少なくとも一方において前記光源部と前記表示部とを繋ぎ、前記抑制部として、前記虚像の上方向における前記接続部材の端部が、前記光路領域の最上端よりも上方向に存在するように形成されている。これにより、接続部材の端部が取付対象部位に当たっている状態で、取付対象部位は光路領域の最上端より上方向にあり、光路領域が遮られることがない。
【００１７】
上記のヘッドアップディスプレイの他の一態様は、前記光路領域の最上端よりも上方向に位置し、前記虚像の左右方向に延在するブリッジ部を有する。この態様では、ブリッジ部が取付対象部位に当たっている状態で、取付態様部位は光路領域の最上端より上方向にあり、光路領域が遮られることがない。
【００１８】
この場合の好適な例では、前記ブリッジ部は、着脱可能に構成されている。よって、ブリッジ部を用いてヘッドアップディスプレイを移動体に取り付けた後、ブリッジ部を取り外すことができる。
【００１９】
上記のヘッドアップディスプレイは、前記ヘッドアップディスプレイを前記移動体に対して取り付けるための取付部材を有し、前記表示部を基準として前記取付部材が形成されている側が前記虚像における上方向と規定される。
【００２０】
本発明の他の好適な実施形態では、ヘッドアップディスプレイを移動体の取付対象部位に取り付ける取付方法は、虚像を形成させるために光を照射する光源が搭載された光源部と、前記光源からの光が照射される光学素子を有する表示部とを、接続部材によって繋ぐ接続工程と、前記光源部と前記表示部との間に形成される光路領域が前記取付対象部位によって遮られないように前記接続部材の少なくとも一部に設けられた抑制部を前記取付対象部位に対して配置し、前記接続部材により繋がれた前記光源部及び前記表示部を前記取付対象部位に対して取り付ける取付工程と、を有する。
【００２１】
この方法によれば、光源部と表示部との間に形成される光路領域が取付対象部位によって遮られないように接続部材の少なくとも一部に設けられた抑制部を前記取付対象部位に対して配置してヘッドアップディスプレイが移動体の取付対象部位に取り付けられる。
【００２２】
本発明の他の好適な実施形態では、ヘッドアップディスプレイは、上下方向を有する虚像を形成させるために光を照射する光源が搭載された光源部と、前記光源からの光が照射される光学素子を有する表示部と、前記光源部と前記表示部とを繋ぐ接続部材と、を有し、前記接続部材の少なくとも一部は、前記虚像を形成するための前記光が前記光源部と前記表示部との間で形成する光路領域の最上端よりも上方向に存在するように形成されている。
【００２３】
上記のヘッドアップディスプレイによれば、光源部と表示部とが接続部材により接続され、光源から出射された光が表示部の光学素子へ照射される。ここで、接続部材の少なくとも一部は、虚像を形成するための前記光が光源部と表示部との間で形成する光路領域の最上端よりも上方向に存在するように形成されている。よって、ヘッドアップディスプレイを移動体に取り付けたときに、光源からの光が移動体の取付対象部位により遮られることが防止され、表示画像の一部が欠けたりすることがなくなる。
【実施例】
【００２４】
以下、図面を参照して本発明の好適な実施例について説明する。【００２５】
図１は、実施例に係るヘッドアップディスプレイを車両の車室内に設置した状態を模式的に示す。図１は、車両１の運転席を側方から見た図であり、運転者７は車室内のシート５に座っている。運転者７の頭上には車両のルーフ２があり、その下方には車室の天井３がある。また、運転者７の前方には車両１のフロントガラス４がある。【００２６】
ヘッドアップディスプレイ１０は、運転者７の前方斜め上方向に設置される。詳細は後述するが、ヘッドアップディスプレイ１０は、光源部１１とコンバイナ１２とを備える。破線で示すように、光源部１１から出射された光は、コンバイナ１２で反射され、運転者７の目に至る。これにより、運転者７は車両前方の位置に虚像３０を視認する。なお、虚像３０は矢印の先端が上方向を示す。【００２７】
図２は、ヘッドアップディスプレイ１０を斜め下方向から見た斜視図である。ヘッドアップディスプレイ１０は、光源部１１と、コンバイナ１２と、一対のアーム１３と、取付ステー１４とを備える。【００２８】
取付ステー１４は、ヘッドアップディスプレイ１０を車両に取り付ける際の土台となる部材である。本実施例では、取付ステー１４はＴ字型の平板であり、複数の長穴１４ａが形成されている。取付ステー１４は、車室の天井３に設けられた取付穴に対してネジ１５により固定される。【００２９】
光源部１１には、レーザダイオードなどの光源（図示せず）が搭載されている。光源部１１から出射した光はコンバイナ１２へ投射される。コンバイナ１２は、光源部１１から出射された光を運転者７の目の方向へ反射する。光源部１１は、取付ステー１４に対して例えばネジなどにより固定されている。【００３０】
光源部１１の側面１１ｂには、一対のアーム１３が取り付けられている。アーム１３の先端付近、即ち、光源部１１と反対側の端部付近にはコンバイナ１２を保持する一対のコンバイナ保持部１６が設けられている。一対のコンバイナ保持部１６は、左右からコンバイナ１２を保持する。【００３１】
以上の構成において、コンバイナ１２は本発明の光学素子の一例であり、アーム１３は接続部材の一例であり、取付ステー１４は取付部材の一例である。【００３２】
図３は、ヘッドアップディスプレイ１０を斜め上方向から見た斜視図である。なお、便宜上、取付ステー１４の図示を省略してある。光源部１１内部に設けられた光源から出射された投射光は有効投影形状Ｌを形成する。以下、有効投影形状Ｌを「光路領域Ｌ」とも呼ぶ。光源から出射した光により、光源部１１の前面に設けられた中間像表示部１１ａには中間像が表示される。【００３３】
次に、アームを有しないヘッドアップディスプレイを車両に取り付けた例を説明する。車両の種類によっては、車室の天井３の内張りなどの一部が下方に突出した形状となっている場合がある。図４は、天井３の一部（以下、「突出部分」と呼ぶ。）３ｘが下方に突出している場合のヘッドアップディスプレイと光路領域Ｌとの位置関係を示す。【００３４】
図示のように、アームを有しないヘッドアップディスプレイを、車室の天井３に最も接近させて取り付けた場合、光源部１１から出射された投射光の光路領域Ｌ内に突出部分３ｘが位置するため、投射光の一部が突出部分３ｘにより遮られてしまい、運転者７が視認する虚像３０の一部が欠けてしまう。【００３５】
通常、ヘッドアップディスプレイを車室に取り付ける際には、未だ光源部から投射光を照射することはできないので、取り付けを行う者（以下、単に「ユーザ」と呼ぶ。）は光路領域Ｌがどこまで及ぶのかを知ることができない。よって、ヘッドアップディスプレイ１０の取り付けを完了し、光源を駆動してみて初めて投射光が突出部分３ｘにより遮られてしまうことがわかるということも少なくない。【００３６】
そこで、本実施例では、一対のアーム１３により左右からコンバイナ１２を保持する構造とし、かつ、アーム１３の上面が光路領域Ｌの上面、即ち最上端よりも上方向に位置するようにした。具体的には、図５（ａ）に示すように、光路領域Ｌの上面Ｌｘよりも、アーム１３の上面１３ｘが上方向に位置するように、光源部１１、コンバイナ１２、アーム１３及びコンバイナ保持部１６を組み立てる。ここで、「上方向」とは、図１に示す虚像３０の上方向であり、表示部としてのコンバイナ１２を基準として取付ステー１４が位置する側をいう。なお、アーム１３の上面１３ｘは本発明の抑制部に相当する。【００３７】
これにより、図５（ｂ）に示すように、車室の天井３の突出部分３ｘが下方に突出している場合でも、ヘッドアップディスプレイ１０を取り付ける際には、アーム１３の上面１３ｘが突出部分３ｘに当たるので、それより上方にヘッドアップディスプレイ１０を取り付けることはできない。光路領域Ｌの上面Ｌｘはアーム１３の上面１３ｘよりも下方にあるので、天井３の突出部分３ｘが光路領域Ｌを遮ることはない。言い換えると、アーム１３の上面１３ｘは、天井３の突出部分３ｘに当たることにより、光路領域Ｌがそれ以上天井３に近接するのを規制する役割を有する。【００３８】
こうして、ヘッドアップディスプレイ１０を天井３に対して最も近い位置に、即ち、アーム１３の上面１３ｘが天井３の突出部分３ｘに当たる位置に取り付けた場合でも、突出部分３ｘが光路領域Ｌを遮ることが防止される。ユーザは、特に光路領域Ｌを意識することなく、また、実際に光源部１１を動作させて投射光を出射する必要なく、容易にヘッドアップディスプレイ１０を適正な位置に取り付けることができる。【００３９】
［取り付け方法］
次に、ヘッドアップディスプレイ１０の取り付け方法について説明する。まず、ユーザは、光源部１１の側面１１ｂに一対のアーム１３を取り付けるとともに、コンバイナ保持部１６を利用してコンバイナ１２をアーム１３に取り付ける。即ち、アーム１３により光源部１１とコンバイナ１２とを接続する。この際、ユーザは、図５（ａ）に示すように、アーム１３の上面１３ｘが光路領域Ｌの上面Ｌｘより上方向に位置するように光源部１１に対するアーム１３の取付位置及び取付角度を調整する。例えば、投射光が光源部１１の中間像表示部１１ａの面に対して垂直に出射される場合、ユーザはアーム１３の上面１３ｘが中間像表示部１１ａの上端より上方向に位置するように、かつ、アーム１３の上面１３ｘが表示部１１ａの面と略垂直となるように、アーム１３を光源部１１に対して取り付ける。こうして、光源部１１、コンバイナ１２及びアーム１３が一体となる。【００４０】
次に、ユーザは、取付ステー１４を車両の天井３に取り付ける。そして、ユーザは、コンバイナ１２及びアーム１３と一体となった光源部１１を取付ステー１４に取り付ける。この際、ユーザは、アーム１３の上面１３ｘが天井３に当たる位置を上限、即ち天井３に対して最も近接させた位置とする。これにより、天井３の突出部分３ｘが光路領域Ｌを遮ることが防止される。【００４１】
[変形例]
次に、本実施例の変形例について説明する。上記の実施例は、コンバイナ１２を左右のアーム１３で保持する構成としている。このため、図６（ａ）に示すように、車室の天井３が左右のアーム１３の間で局部的に下方へ突出した突出部分３ｘを有する場合、光路領域Ｌが遮られてしまう可能性がある。そこで、変形例では、図７及び８に示すように、アーム１３の上面１３ｘに平板形状のブリッジ部２０を設ける。ブリッジ部２０は、アーム１３に対して着脱可能とする。【００４２】
ヘッドアップディスプレイ１０の取り付け時には、ブリッジ部２０をアーム１３に取り付けた状態で作業を行う。こうすると、ブリッジ部２０が車室の天井３の突出部分３ｘに当たるので、ユーザはヘッドアップディスプレイ１０をそれ以上天井３に近接して取り付けることはできない。光路領域Ｌの上面Ｌｘはアーム１３の上面１３ｘより下方にあるので、天井３の突出部分３ｘが光路領域Ｌを遮ることはない。言い換えると、上記の実施例では天井３の突出部分３ｘが光路領域Ｌに入ることを左右のアーム１３が一対の線で規制しているのに対し、変形例では天井３の突出部分３ｘが光路領域Ｌに入ることをブリッジ部２０が面で規制する。【００４３】
なお、ヘッドアップディスプレイ１０の取り付け後は、ブリッジ２０は不要となり、むしろユーザの頭上に残しておくと圧迫感を与えることになる。よって、ヘッドアップディスプレイ１０を取り付けた後、ユーザはブリッジ部２０をアーム１３から取り外すことが好ましい。
【産業上の利用可能性】
【００４４】
本発明は、車両などの移動体に設置するヘッドアップディスプレイに利用することができる。
【符号の説明】
【００４５】
１  車両
３  天井
４  フロントガラス
７  運転者
１０  ヘッドアップディスプレイ
１１  光源部
１２  コンバイナ
１３  アーム
１４  取付ステー
２０  ブリッジ部
３０  虚像
【図１】
2012131908.tif 000003
【図２】
2012131908.tif 000004
【図３】
2012131908.tif 000005
【図４】
2012131908.tif 000006
【図５】
2012131908.tif 000007
【図６】
2012131908.tif 000008
【図７】
2012131908.tif 000009
【図８】
2012131908.tif 000010
【手続補正書】
【提出日】平成23年10月27日(2011.10.27)
【手続補正１】
【補正対象書類名】特許請求の範囲
【補正対象項目名】全文
【補正方法】変更
【補正の内容】
【特許請求の範囲】
【請求項１】
移動体に搭載されるヘッドアップディスプレイであって、
虚像を形成させるために表示部に対して光を照射する光源が搭載された光源部と、
前記光源部と前記表示部との間に形成される光路領域が、前記ヘッドアップディスプレイが前記移動体の取付対象部位に取り付けられる際に前記取付対象部位によって遮られることを抑制する抑制部と、を備え、
前記光路領域に対して、前記取付対象部位側には開口が設けられていることを特徴とするヘッドアップディスプレイ。
【請求項２】
前記開口は、前記移動体の取付対象部位に取り付けられた状態において、前記光路領域の上下方向に連通することを特徴とする請求項１に記載のヘッドアップディスプレイ。
【請求項３】
前記ヘッドアップディスプレイを前記取付対象部位に取り付けるための取付部を有し、
前記光路領域に対して、前記光の照射方向に直交する方向の前記取付部側には開口が設けられていることを特徴とする請求項１又は２に記載のヘッドアップディスプレイ。
【請求項４】
前記表示部と前記光源部とを繋ぐ接続部を備え、
前記抑制部は、前記接続部の少なくとも一部に設けられることを特徴とする請求項１乃至３のいずれか一項に記載のヘッドアップディスプレイ。
【請求項５】
前記接続部は、前記ヘッドアップディスプレイが前記移動体の取付対象部位に取り付けられる際の、前記表示部の左右部分の少なくとも一方と前記光源部とを繋ぐことを特徴とする請求項４に記載のヘッドアップディスプレイ。
【請求項６】
前記接続部は、前記ヘッドアップディスプレイが前記移動体の取付対象部位に取り付けられる際の、前記光路領域の左右方向の少なくとも一方において、前記表示部と前記光源部とを繋ぐことを特徴とする請求項４又は５に記載のヘッドアップディスプレイ。
【請求項７】
前記抑制部は、前記取付対象部位の取付後に取り外し可能となっていることを特徴とする請求項１乃至６のいずれか一項に記載のヘッドアップディスプレイ。
【請求項８】
前記接続部は、前記表示部の左右部分から前記光路領域に沿って延在して前記光源部と繋がっており、
前記抑制部は、前記光路領域に対して、前記光の照射方向に直交する方向の前記取付対象部位側において前記接続部同士を繋ぐことを特徴とする請求項７に記載のヘッドアップディスプレイ。
【請求項９】
前記開口は、前記接続部、前記表示部及び前記光源部によって規定されることを特徴とする請求項１乃至８のいずれか一項に記載のヘッドアップディスプレイ。
【請求項１０】
移動体に搭載されるヘッドアップディスプレイであって、
虚像を形成させるために光を照射する光源が搭載された光源部と、
前記光源からの光が照射される光学素子を有する表示部と、
前記光源部と前記表示部とを繋ぐ接続部と、
前記接続部の少なくとも一部に設けられ、前記ヘッドアップディスプレイが前記移動体の取付対象部位に取り付けられる際に、前記光源部と前記表示部との間に形成される光路領域が前記取付対象部位によって遮られることを抑制する抑制部と、を備え、
前記光路領域に対して、前記取付対象部位の取付時の上方向に、開口が設けられていることを特徴とするヘッドアップディスプレイ。
【請求項１１】
移動体に搭載されるヘッドアップディスプレイであって、
虚像を形成させるため表示部に対して光を照射する光源が搭載された光源部と、
前記ヘッドアップディスプレイが前記移動体の取付対象部位に取り付けられる際に、前記光源部と前記表示部との間に形成される光路領域が前記取付対象部位によって遮られることを抑制する抑制部と、を備え、
前記光路領域と前記取付対象部位とが対面する部分には開口が設けられていることを特徴とするヘッドアップディスプレイ。
【請求項１２】
移動体に搭載されるヘッドアップディスプレイであって、
虚像を形成させるために光を照射する光源が搭載された光源部と、
前記光源からの光が照射される光学素子を有する表示部と、
前記ヘッドアップディスプレイが前記移動体の取付対象部位に取り付けられる際の、前記表示部の左右部分の少なくとも一方から延在して前記光源部とを繋ぐ接続部と、を備え、
前記光路領域に対して、前記光の照射方向に直交する方向の前記取付対象部位側には開口が設けられていることを特徴とするヘッドアップディスプレイ。
【請求項１３】
ヘッドアップディスプレイを移動体の取付対象部位に取り付ける取り付け方法であって、
虚像を形成させるために表示部に対して光を照射する光源が搭載された光源部を有し、前記光源部と前記表示部との間に形成される光路領域に対して前記光の照射方向に直交する方向の前記取付対象部位側に開口を有するヘッドアップディスプレイを、
前記光路領域が、前記開口において前記取付対象部位によって遮られないように、前記表示部と前記光源部の間に形成され、前記光路領域よりも前記取付対象部位側に突出した抑制部を前記取付対象部位に対して当接させて取り付けることを特徴とするヘッドアップディスプレイの取り付け方法。
【手続補正２】
【補正対象書類名】明細書
【補正対象項目名】０００７
【補正方法】変更
【補正の内容】
【０００７】
請求項１に記載の発明は、移動体に搭載されるヘッドアップディスプレイであって、虚像を形成させるために表示部に対して光を照射する光源が搭載された光源部と、前記光源部と前記表示部との間に形成される光路領域が、前記ヘッドアップディスプレイが前記移動体の取付対象部位に取り付けられる際に前記取付対象部位によって遮られることを抑制する抑制部と、を備え、前記光路領域に対して、前記取付対象部位側には開口が設けられていることを特徴とする。
【手続補正３】
【補正対象書類名】明細書
【補正対象項目名】０００８
【補正方法】変更
【補正の内容】
【０００８】
請求項１０に記載の発明は、移動体に搭載されるヘッドアップディスプレイであって、虚像を形成させるために光を照射する光源が搭載された光源部と、前記光源からの光が照射される光学素子を有する表示部と、前記光源部と前記表示部とを繋ぐ接続部と、前記接続部の少なくとも一部に設けられ、前記ヘッドアップディスプレイが前記移動体の取付対象部位に取り付けられる際に、前記光源部と前記表示部との間に形成される光路領域が前記取付対象部位によって遮られることを抑制する抑制部と、を備え、前記光路領域に対して、前記取付対象部位の取付時の上方向に、開口が設けられていることを特徴とする。
請求項１１に記載の発明は、移動体に搭載されるヘッドアップディスプレイであって、虚像を形成させるため表示部に対して光を照射する光源が搭載された光源部と、前記ヘッドアップディスプレイが前記移動体の取付対象部位に取り付けられる際に、前記光源部と前記表示部との間に形成される光路領域が前記取付対象部位によって遮られることを抑制する抑制部と、を備え、前記光路領域と前記取付対象部位とが対面する部分には開口が設けられていることを特徴とする。
【手続補正４】
【補正対象書類名】明細書
【補正対象項目名】０００９
【補正方法】変更
【補正の内容】
【０００９】
請求項１２に記載の発明は、移動体に搭載されるヘッドアップディスプレイであって、虚像を形成させるために光を照射する光源が搭載された光源部と、前記光源からの光が照射される光学素子を有する表示部と、前記ヘッドアップディスプレイが前記移動体の取付対象部位に取り付けられる際の、前記表示部の左右部分の少なくとも一方から延在して前記光源部とを繋ぐ接続部と、を備え、前記光路領域に対して、前記光の照射方向に直交する方向の前記取付対象部位側には開口が設けられていることを特徴とする。
請求項１３に記載の発明は、ヘッドアップディスプレイを移動体の取付対象部位に取り付ける取り付け方法であって、虚像を形成させるために表示部に対して光を照射する光源が搭載された光源部を有し、前記光源部と前記表示部との間に形成される光路領域に対して前記光の照射方向に直交する方向の前記取付対象部位側に開口を有するヘッドアップディスプレイを、前記光路領域が、前記開口において前記取付対象部位によって遮られないように、前記表示部と前記光源部の間に形成され、前記光路領域よりも前記取付対象部位側に突出した抑制部を前記取付対象部位に対して当接させて取り付けることを特徴とする。
【手続補正書】
【提出日】平成24年2月22日(2012.2.22)
【手続補正１】
【補正対象書類名】特許請求の範囲
【補正対象項目名】全文
【補正方法】変更
【補正の内容】
【特許請求の範囲】
【請求項１】
移動体に搭載されるヘッドアップディスプレイであって、
虚像を形成させるために表示部に対して光を照射する光源が搭載された光源部と、
前記光の照射方向に延び、前記光源部と前記表示部とを接続する一対の接続部材と、
前記光源部と、前記表示部と、前記一対の接続部材とにより、前記移動体に取り付けられる側に形成される開口と、
前記移動体に取り付けられる側において、前記接続部材の少なくとも一部に設けられた抑制部と、を備え、
前記光源部と前記表示部との間に形成される光路領域が前記開口内に位置しており、
前記抑制部は、前記ヘッドアップディスプレイが前記移動体の取付対象部位に取り付けられる際に前記取付対象部位に当接することにより、前記光路領域が前記取付対象部位によって遮られることを抑制することを特徴とするヘッドアップディスプレイ。
【請求項２】
前記開口は、前記移動体の取付対象部位に取り付けられた状態において、前記光路領域の上下方向に連通することを特徴とする請求項１に記載のヘッドアップディスプレイ。
【請求項３】
前記接続部は、前記ヘッドアップディスプレイが前記移動体の取付対象部位に取り付けられる際の、前記表示部の左右部分と前記光源部とを繋ぐことを特徴とする請求項１又は２に記載のヘッドアップディスプレイ。
【請求項４】
前記接続部は、前記ヘッドアップディスプレイが前記移動体の取付対象部位に取り付けられる際の、前記光路領域の左右方向において、前記表示部と前記光源部とを繋ぐことを特徴とする請求項１又は２に記載のヘッドアップディスプレイ。
【請求項５】
前記抑制部は、前記開口の中において少なくとも一部を塞ぐように設けられ、前記取付対象部位の取付後に取り外し可能となっていることを特徴とする請求項１乃至４のいずれか一項に記載のヘッドアップディスプレイ。
【請求項６】
前記接続部は、前記表示部の左右部分から前記光路領域に沿って延在して前記光源部と繋がっており、
前記抑制部は、前記光路領域に対して、前記光の照射方向に直交する方向の前記取付対象部位側において前記接続部同士を繋ぐことを特徴とする請求項５に記載のヘッドアップディスプレイ。
【請求項７】
ヘッドアップディスプレイを移動体の取付対象部位に取り付ける取り付け方法であって、
前記ヘッドアップディスプレイは、虚像を形成させるために表示部に対して光を照射する光源が搭載された光源部と、前記光の照射方向に延び、前記光源部と前記表示部とを接続する一対の接続部材と、前記光源部と、前記表示部と、前記一対の接続部材とにより、前記移動体に取り付けられる側に形成される開口と、前記移動体に取り付けられる側において、前記接続部材の少なくとも一部に設けられた抑制部と、を備え、
前記光源部と前記表示部との間に形成される光路領域が前記取付対象部位によって遮られないように、前記抑制部を前記取付対象部位に当接させて取り付けることを特徴とするヘッドアップディスプレイの取り付け方法。
【手続補正２】
【補正対象書類名】明細書
【補正対象項目名】０００７
【補正方法】変更
【補正の内容】
【０００７】
請求項１に記載の発明は、移動体に搭載されるヘッドアップディスプレイであって、虚像を形成させるために表示部に対して光を照射する光源が搭載された光源部と、前記光の照射方向に延び、前記光源部と前記表示部とを接続する一対の接続部材と、前記光源部と、前記表示部と、前記一対の接続部材とにより、前記移動体に取り付けられる側に形成される開口と、前記移動体に取り付けられる側において、前記接続部材の少なくとも一部に設けられた抑制部と、を備え、前記光源部と前記表示部との間に形成される光路領域が前記開口内に位置しており、前記抑制部は、前記ヘッドアップディスプレイが前記移動体の取付対象部位に取り付けられる際に前記取付対象部位に当接することにより、前記光路領域が前記取付対象部位によって遮られることを抑制することを特徴とする。
【手続補正３】
【補正対象書類名】明細書
【補正対象項目名】０００８
【補正方法】変更
【補正の内容】
【０００８】
請求項７に記載の発明は、ヘッドアップディスプレイを移動体の取付対象部位に取り付ける取り付け方法であって、前記ヘッドアップディスプレイは、虚像を形成させるために表示部に対して光を照射する光源が搭載された光源部と、前記光の照射方向に延び、前記光源部と前記表示部とを接続する一対の接続部材と、前記光源部と、前記表示部と、前記一対の接続部材とにより、前記移動体に取り付けられる側に形成される開口と、前記移動体に取り付けられる側において、前記接続部材の少なくとも一部に設けられた抑制部と、を備え、前記光源部と前記表示部との間に形成される光路領域が前記取付対象部位によって遮られないように、前記抑制部を前記取付対象部位に当接させて取り付けることを特徴とする。
【手続補正４】
【補正対象書類名】明細書
【補正対象項目名】０００９
【補正方法】削除
【補正の内容】
【手続補正書】
【提出日】平成24年4月27日(2012.4.27)
【手続補正１】
【補正対象書類名】特許請求の範囲
【補正対象項目名】全文
【補正方法】変更
【補正の内容】
【特許請求の範囲】
【請求項１】
移動体に搭載されるヘッドアップディスプレイであって、
虚像を形成させるために表示部に対して光を照射する光源が搭載された光源部と、
前記光の照射方向に延び、前記光源部と前記表示部とを接続する一対の接続部材と、
前記光源部と、前記表示部と、前記一対の接続部材とにより、前記移動体に取り付けられる側に形成される開口と、
前記移動体に取り付けられる側において、前記接続部材の少なくとも一部に設けられた抑制部と、を備え、
前記光源部と前記表示部との間に形成される光路領域が前記開口内に位置しており、
前記抑制部は、前記ヘッドアップディスプレイが前記移動体の取付対象部位に取り付けられる際に前記取付対象部位に当接することにより、前記光路領域が前記取付対象部位によって遮られることを抑制することを特徴とするヘッドアップディスプレイ。
【請求項２】
前記開口は、前記移動体の取付対象部位に取り付けられた状態において、前記光路領域の上下方向に連通することを特徴とする請求項１に記載のヘッドアップディスプレイ。
【請求項３】
前記接続部材は、前記ヘッドアップディスプレイが前記移動体の取付対象部位に取り付けられる際の、前記表示部の左右部分と前記光源部とを繋ぐことを特徴とする請求項１又は２に記載のヘッドアップディスプレイ。
【請求項４】
前記接続部材は、前記ヘッドアップディスプレイが前記移動体の取付対象部位に取り付けられる際の、前記光路領域の左右方向において、前記表示部と前記光源部とを繋ぐことを特徴とする請求項１又は２に記載のヘッドアップディスプレイ。
【請求項５】
前記抑制部は、前記開口の中において少なくとも一部を塞ぐように設けられ、前記取付対象部位の取付後に取り外し可能となっていることを特徴とする請求項１乃至４のいずれか一項に記載のヘッドアップディスプレイ。
【請求項６】
前記接続部材は、前記表示部の左右部分から前記光路領域に沿って延在して前記光源部と繋がっており、
前記抑制部は、前記光路領域に対して、前記光の照射方向に直交する方向の前記取付対象部位側において前記接続部材同士を繋ぐことを特徴とする請求項５に記載のヘッドアップディスプレイ。
【請求項７】
ヘッドアップディスプレイを移動体の取付対象部位に取り付ける取り付け方法であって、
前記ヘッドアップディスプレイは、虚像を形成させるために表示部に対して光を照射する光源が搭載された光源部と、前記光の照射方向に延び、前記光源部と前記表示部とを接続する一対の接続部材と、前記光源部と、前記表示部と、前記一対の接続部材とにより、前記移動体に取り付けられる側に形成される開口と、前記移動体に取り付けられる側において、前記接続部材の少なくとも一部に設けられた抑制部と、を備え、
前記光源部と前記表示部との間に形成される光路領域が前記取付対象部位によって遮られないように、前記抑制部を前記取付対象部位に当接させて取り付けることを特徴とするヘッドアップディスプレイの取り付け方法。
【国際調査報告】
2012131908.tif 000011
2012131908.tif 000012
2012131908.tif 000013
2012131908.tif 000014